(57)【要約】  トランシーバユニット(23)、指示器(27)及び入力装置(25)を有し、医療装置を最近接の患者のネットワーク(13)に自動的に統合する機能を有するワイヤレス医療装置(3)が提供される。医療装置(3)の配置は、装置の稼働後に最近接の患者ネットワークに装置が統合される方法によって達成可能である。患者ネットワークは個人領域ネットワークの形式であって良い。
2007527739.tif 000002
【特許請求の範囲】
【請求項１】
ワイヤレス医療装置の患者ネットワークへの統合方法であって：
前記装置が、配置される前記患者ネットワークの近くに運ばれる工程；
前記医療装置の現在の局所位置が検出される工程；
前記医療装置に最も近い前記患者ネットワークが決定され、当該ネットワークが前記医療装置と通信する工程；及び、
稼働後、前記医療装置が前記患者ネットワークに統合される工程；
を有する統合方法。
【請求項２】
請求項1に記載の方法であって、
所在確認システムが提供され、
前記所在確認システムは前記医療装置の局所位置及び最も近い患者ネットワークの局所位置を決定し、前記医療装置に知らせる、
ことを特徴とする方法。
【請求項３】
請求項1に記載の方法であって、前記の新しい装置の局所位置及び、前記の最も近い患者ネットワークの局所位置は環境検出によって決定されることを特徴とする方法。
【請求項４】
請求項1に記載の方法であって、稼働には医療者による入力が必要であることを特徴とする方法。
【請求項５】
請求項1に記載の方法であって、自動稼働は所定の論理基準に従って実現されることを特徴とする方法。
【請求項６】
請求項1に記載の方法であって、前記患者ネットワーク中にすでに統合された装置に関する情報は、情報センターから前記医療装置に伝達されることを特徴とする方法。
【請求項７】
トランシーバユニット、指示器及び入力装置を有するワイヤレス医療装置であって、前記医療装置を患者ネットワークに自動的に統合する機能を有するワイヤレス医療装置。
【請求項８】
請求項7に記載のワイヤレス医療装置であって、前記医療装置を統合する機能は請求項1に従って決定されることを特徴とするワイヤレス医療装置。
【請求項９】
請求項7に記載のワイヤレス医療装置であって、
異なるネットワークでの通信を可能にするトランシーバユニットを有し、
好適には異なるネットワークをカバーすることを特徴とする、
ワイヤレス医療装置。
【請求項１０】
自動統合は医療者による入力を可能にすることを特徴とする、請求項7に記載のワイヤレス医療装置。
【請求項１１】
請求項7に記載のワイヤレス医療装置であって、
ディスプレイ；及び、
特定種類の医療装置又は特定の医療装置を発見する検索機能であって、当該検索結果をディスプレイ上に表示する検索機能；
を有するワイヤレス医療装置。
【請求項１２】
病院で使用される所在地特定システムであって、
ネットワーク及びメモリを有し、
前記メモリ中にはモニタリング領域に存在する装置の位置データが保存される、
ことを特徴とする所在地特定システム。
【請求項１３】
請求項12に記載のシステムであって、前記装置がどのローカル患者ネットワークに属するのかに関する情報は前記メモリ内に保存されることを特徴とするシステム。
【発明の詳細な説明】
【技術分野】
【０００１】
本発明は患者のネットワークに関する。患者ネットワークは明白に一患者に使用されるネットワークである。新たな装置が患者ネットワークに統合される。
【背景技術】
【０００２】
特許文献1は患者の重要な兆候を示すデータを記録する患者モニタリングシステムについて開示している。患者モニタリングシステムは、患者モニタ、トランシーバユニットを有する。トランシーバユニットはデータ転送構造によって中央ステーションに接続されている。患者データは患者モニタからトランシーバユニットとのワイヤレス接続によって与えられる。トランシーバユニットに与えられる重要な兆候を示すデータは中央ステーションに転送される。患者モニタリングシステムは、各患者に関する一連の情報が保存されているデータベースシステムを有する。患者モニタによって送られてくるデータの割り振りについては、記録されている患者リストがモニタ上に表示される。患者を選択することで、モニタへの患者の割り振りが実現される。
【特許文献１】米国再審査特許第6544173号明細書
【発明の開示】
【発明が解決しようとする課題】
【０００３】
本発明の目的は、ワイヤレス医療装置の患者への配置を単純化した方法の提供及び、それによってワイヤレス医療装置の患者モニタリングシステムへの統合を単純化することである。
【０００４】
本発明の別な目的は、ワイヤレス医療装置の提供であって、その医療装置は患者への配置の単純化及び患者ネットワークへの配置の単純化を可能にする。
【課題を解決するための手段】
【０００５】
本発明の目的は請求項1,7及び12によって実現される。
【０００６】
ワイヤレス医療装置の患者ネットワークへの統合の新たな方法を提供する過程において、医療装置の患者ネットワークへの便利な統合が可能になる。当該方法の場合、患者ネットワークに配置される新たな医療装置は患者の近くに設置される。たとえば、医師は新たな装置を持って部屋に入る。装置はすでに”患者ネットワークを検索”しているという適切な状態にあるか、又は医師によってそのような状態に設定されることが好ましい。この医療装置の現在の局所位置は所在確認システム(locating  system)によって検出される。所在確認システムは医療装置に最も近い患者ネットワークを決定し、所在確認システムは医療装置に最も近い患者ネットワークと通信する。稼働後、医療装置は自動的に患者ネットワークに統合される。
【０００７】
中央ステーションにおいて、又はむしろ表現を含む装置内で、この患者ネットワークの表現は統合の結果更新される。たとえば、統合に成功した後、新たな装置は適切な情報を中央ステーション又は対応する装置に送信する。この中には表現が保管されている。ここでの表現は、装置が患者ネットワークに統合されていることに関する情報を含む。
【０００８】
一実施例において、稼働には医療者からの入力が必要となる。よって、医療装置の意図した患者ネットワークへのみ統合することが保証される。たとえば、医療装置が配置される患者の名前を確認しなくてはならない場合、確認を必要として良い。患者確認は迅速かつ簡便に実行することが可能である。最も近い患者ネットワークからの確認応答がない場合にその周辺にある患者ネットワークに選択範囲を拡張して選択することで稼働して良い。この選択は所定の数又は、所定の空間的境界で制限することが可能である。
【０００９】
別な実施例では、論理基準に従った自動的稼働が提供される。この自動化された稼働が論理基準に従って停止して良い。先述の自動的統合がそこで提供されるか、又は、その代わりに手入力のスイッチを提供することが可能である。
【００１０】
一実施例では、医療装置がすでに患者ネットワークに統合されていることに関する情報は中央システム又は患者ネットワークの表現を含む装置から医療装置に送信される。
【００１１】
トランシーバユニットを有し、医療装置の患者ネットワークへの自動的統合を行う機能を有するワイヤレス医療装置を提供することで、便利な方法で医療装置が患者ネットワークに統合可能となる。情報はトランシーバユニットを介したワイヤレスでのやり取りが可能であるし、他の装置との通信も確立可能である。患者ネットワークを形成する、いくつかのワイヤレス医療装置の論理的相互接続は実現可能である。
【００１２】
一実施例では、入力装置は手動による稼働で提供される。これは通常医療者によって稼働される。
【００１３】
指示器の提供により、装置が統合される又は統合されるべきネットワークが表示される。
【００１４】
一実施例では、トランシーバユニットとともに供されるワイヤレス医療装置が提供される。トランシーバは異なるネットワークでの通信を可能にする。それぞれ異なる範囲を有するネットワークの通信を可能にするトランシーバユニットの提供により、広範囲のネットワークとの通信が可能になる。よって、患者ネットワーク用の範囲は小さくできる。医療装置の所在を検出するには、より広範囲を有するネットワークを提供することが可能である。
【００１５】
さらに、装置のトランシーバユニットは臨機応変にピアー・ツー・ピア通信の可能性に対応できる。つまり、個々の装置間の直接的通信又は、ネットワーク基盤設備による装置間の通信であり、一の装置がWLANのアクセス点を介して通信する、及び基礎をなすネットワーク基盤設備を介して他の装置と通信するということである。
【００１６】
一実施例では、医療装置は指示器としてのディスプレイ及び検索機能とともに提供される。検索機能の手段により、特定種類の医療装置又は、特定医療装置がディスプレイ上に表示可能となる。
【００１７】
所在確認システムは病院で使用される。当該所在確認システムは、ネットワーク及び、モニタリング範囲内に設置された装置の位置データが保存されるメモリを有する。モニタリング範囲はネットワークがカバーする領域に制限される。所在確認システムは独自の識別によって所在位置を表現する。
【００１８】
一実施例では、メモリに保存される、装置が論理的患者ネットワークに属することに関する情報についても提供される。
【００１９】
患者ネットワークはネットワーク基盤設備に基づいたものであって良い。ネットワーク基板設備に基づいたものとは、装置間の通信が直接的に行われるのではなく、たとえば装置がアクセス点で通信するワイヤレスのネットワーク基盤設備のようなものによって実現されることを意味する。そこから、データはアクセス点を介して直接的に別な装置に伝送される又は、最初に異なるアクセス点を通過する。アクセス点は細線状又はワイヤレスで他と接続して良い。典型的には、これらは細線状のネットワーク基盤設備に統合され、ネットワーク全体で情報とアクセスするワイヤレス装置を提供する。ワイヤレス装置は同様にネットワーク全体から指定して良い。
【００２０】
その代わりに、たとえば、ブルートゥース（商標）による短距離の臨時的な通信によって患者ネットワーク内の装置の別な装置への接続及び、装置のうちのただ1つと、たとえばWLANを介する病院のネットワーク基盤設備との直接接続が提供される。その場合、短距離通信にはより低いエネルギー入力であることが必要となる。よって、比較的大きなエネルギーを保存し、主要供給部と接続する装置による、特に病院のネットワーク基盤設備との通信が実現する。
【実施例】
【００２１】
本発明のこれら及び他の特徴は、以降に説明される実施例を参照することで明らかになる。なお、以降の実施例は限定するための例示ではない。
【００２２】
最初に、図1を参照しながら患者モニタリングシステムの基本構造について説明する。患者モニタリングシステムは第1患者ネットワーク13及び別な患者ネットワーク15を有する。これら2つの患者ネットワーク13,15は患者用として部屋7に設置されている。患者ネットワーク13,15は信号接続34を介して情報センター29と接続している。
【００２３】
第1の種類では2つの患者ネットワーク13,15が提供され、これらは関連する所在確認システム31と信号通信信号接続33によって通信する。図2も参照のこと。別な実施例では、相対的環境検出(environment  detection)の手段によってお互いに対する位置を特定する装置が提供される。図3も参照のこと。これら2つの種類については図1に概略的に図示されている。
【００２４】
これらの患者ネットワーク13,15の各々は独自に一患者に配置される。一医療装置は患者ネットワーク13,15に統合して良いし、又はその代わりに複数の医療装置4を統合しても良い。一般に、患者の周りには複数の医療装置が存在する。医療装置4はワイヤレス信号接続14によりお互い直接やり取りして良いし、又は図2で図示されているように、病院のネットワーク基盤設備を介してやり取りしても良い。
【００２５】
患者ネットワーク13,15は装置を患者に配置することで構築される。患者ネットワーク13,15の論理表現は、装置のうちの1つ又は情報センター29内に存在する。当該表現は収集データ及び患者ネットワーク13,15へのアクセスを容易にする。
【００２６】
ここで、新たな装置である患者モニタ3は存在する患者ネットワーク13に統合される。新たな装置は信号接続35を介して所在確認システム31と通信する。所在確認システム31は中心又は、患者の部屋7に配置される。
【００２７】
新たな装置3はたとえばディスプレイのような指示器27、及び入力装置25を有する。さらに、新たな装置3はトランシーバユニット23を有する。センサ場(sensor  field)21はトランシーバユニット23によって生成される。
【００２８】
以下では、2つの代替システムアーキテクチャが提示される。これらは新たな医療装置3、ここでは患者モニタ、の存在する患者ネットワーク13への自動的配置の方法に関するものである。第1システムアーキテクチャは、個々の装置及び患者ネットワーク13,15の絶対位置を提供する所在確認システム31に基づく配置過程を表す。
【００２９】
第2システムアーキテクチャは、センサ場21による環境検出に基づく配置過程を説明する。たとえば、センサ場強度測定は関連する装置間の相対距離を決定するのに使用可能である。新たな装置中でセンサ場強度を測定することで、近くにある他の装置に関する相対位置を知ることも可能である。
【００３０】
所在確認システム31を有する第1システムアーキテクチャの種類については図2を参照して説明する。患者ネットワーク13はワイヤレス通信で接続される複数の装置4を有する。装置4はたとえば、ECGセンサ、モニタ、酸素吸入器、輸液ポンプである。これらの装置は論理的に相互接続し、患者ネットワークを形成する。患者ネットワークの中のこれらの装置のうちの少なくとも1つは信号接続39及びデータ伝送構造19によって所在確認システム31と接続する。データ伝送システム19は患者モニタリングに使用される。このデータ伝送構造19は病院に恒久的に設置されるネットワークであり、複数のトランシーバユニット11を有する。使用されるネットワーク技術に依存して、トランシーバユニット11の間隔は完全に通信領域を網羅するように選ばれる。
【００３１】
各患者ネットワーク13,15は患者識別手段により独自に識別される。患者ネットワーク13,15の論理表現が存在し、当該論理表現は、当該ネットワークに配置された装置に関する情報及び、患者に関する情報を含む。この表現は情報センター29の中心部で見いだされる。
【００３２】
患者ネットワーク13,15のそれぞれ異なる装置から収集されるデータは情報センター29に送られる。情報センター29は患者の重要な兆候を示すパラメータをモニタし、評価する中枢部である。所在確認システム31は連続的にすべてのワイヤレス装置の位置、よってすなわち現在患者ネットワーク13,15に配置されていない装置3の位置をも決定する。現時点で患者ネットワーク13,15に配置されていない装置3は信号接続37及びデータ伝送構造19の手段によって所在確認システム31と信号接続する。
【００３３】
特定装置の所在を問い合わせるため、要求が所在確認システム31に送られる。この要求は如何なる所望の装置から送っても良い。所望の装置もまた、患者ネットワークに統合されて良く、所在確認システムと信号通信している。又はその代わりに、要求を情報センター29から送っても良い。その代わりに、医療者に分離されたポケットサイズの装置を提供するようなネットワーク構成が構築されても良い。当該ポケットサイズの装置はそのような検索要求の実装を意図したものであり、所在確認システム31との信号接続を確立するものである。
【００３４】
医療装置から検索要求が実行されるとき、要求は入力装置25によって送信される。指示器27は検索結果の表示に使用可能である。入力要求のモニタが可能なように、入力された要求をそのようなディスプレイである指示器27上で示すこともまた可能であることが好ましい。
【００３５】
要求を受け取ると、検索していた装置の所在が提供される。この接続では、検索要求が特定種類の装置に送信される。そのような要求に応答して表示される、たとえば3又は5のような患者ネットワーク内に現在統合されていない最近接装置の所定の数のみを提供しても良い。その代わりに、統合されたこれらの装置をも表示するため、検索要求が入力されても良い。さらに個々の装置の所在に関する検索要求もまた可能である。
【００３６】
新たな医療装置3の患者ネットワーク13への配置では、患者ネットワーク13及び医療装置3の局所位置に関する情報が使用される。この接続において、当該情報は絶対位置に関する情報である。たとえば、患者ネットワーク13は患者の部屋7内の左側である。患者ネットワークの位置を特定する信号は信号接続39によって所在確認システム31に送られる。所在確認システム31は現在の局所位置から所在を決定し、この情報を保存する。新しい医療装置3も同様に、信号接続37,19によって所在確認システム31と接続する。もし所在確認システム31が患者ネットワーク13の近くに位置する医療装置3を検出するとき、新しい医療装置3は患者ネットワーク13が近くにあることを知らされる。装置3のこの患者ネットワークへの統合では、稼働が要求される。通常、稼働は医療者によって実行される。彼/彼女は入力装置25を介した入力で、この装置が特定された患者ネットワーク13に統合されることを確認する。指示器は視覚的又は音による指示を提供することが好ましい。
【００３７】
入力装置25は医療装置3に統合して良いし、又は医療者が携帯する分離した装置であっても良い。この分離した装置は所在確認システムと信号接続し、指示器27をも有することが好ましい。稼働後、医療装置は自動的に患者ネットワークに統合される。医療装置の患者ネットワークへの統合に関する稼働コマンド以外には、医療者による、さらなる入力は必要ない。
【００３８】
患者ネットワークから、データ、つまり患者の重要な兆候に関するデータは一般に中央情報センター29に伝送される。
【００３９】
以下では環境検出を有する第2システムアーキテクチャについて説明する。図3で図示されているように、このシステムアーキテクチャでは、中央所在確認システム31は必要ない。
【００４０】
患者ネットワーク13,15は1つ以上のワイヤレス医療装置を有する。何例か挙げるとたとえばECGセンサ、モニタ、酸素吸入器、輸液ポンプ装置はワイヤレス装置4として提供されて良い。論理的相互接続により、同じ患者に配置されるこれらの装置は患者ネットワーク13,15を形成する。
【００４１】
患者ネットワークの装置のうちの少なくとも1つは病院の通信ネットワーク基盤設備19との接続を有し、またデータ伝送構造としても参照される。病院の通信ネットワーク基盤設備19へのこの接続はワイヤレスであることが好ましい。様々な患者ネットワーク13,15はその場合、患者特定の手段によってそれぞれ独自に特定される。患者ネットワーク13,15の論理表現が存在し、配置された装置及び患者に関する情報を含む。この表現は関連する装置4のうちの1つ上、又は情報センター29の中心で見つけ出すことが可能である。
【００４２】
患者ネットワークの表現は独自の患者特定、患者に配置された装置の特定及び、患者ネットワークの所在を含む。所在に関する情報は定期的に更新又は必要に応じて確認される。
【００４３】
情報キャリア29がこの情報を要求するとき、患者ネットワーク内の装置のうちの1つの上で保存され、情報センター29に対して利用可能になる患者ネットワークの表現もまた提供されて良い。
【００４４】
患者ネットワーク13,15の異なる装置によって収集されるデータは情報センター29に伝送される。情報センター29は患者の重要なパラメータをモニタ及び評価する中枢部である。新たな装置3、これはたとえばECG患者ネットワークモニタのようにネットワークに統合されるもの、は送信器及び/又は受信器を有する。これはセンサ場21の手段により環境領域をモニタする。環境領域21と重なる患者ネットワーク13は新しい医療装置3によって検出される。新しい医療装置3は、たとえばブルートゥース（商標）又はWLANのような臨時的な接続性インターフェースを有する。通信ネットワークのこれらの短距離システムは近くにある装置を検出するのに使用される。稼働後、新しい医療装置3は検出された患者ネットワークに統合される。
【００４５】
新しい医療装置3を統合する新しい方法は病院の日常の状況の詳細を説明することによって明らかなる。
【００４６】
医師又は看護スタッフは新しい装置3に患者の部屋7を入力する。装置3は、医師又は看護スタッフに一番近い患者ネットワークがどれなのかを尋ねる。装置3は最も近い患者ネットワーク13を発見する。そこで装置3は稼働を待つ。患者モニタは最も近い患者ネットワーク13に割り振られた患者の名前を表示する。他の医療装置では、患者の名前は指示器27によって表示される。医療者がモニタ上又は入力装置25上のキーを操作することで稼働は実現する。通常、装置は一般に医療者によって患者のところへ持って行かれるため、稼働は問題を起こすことなく可能である。
【００４７】
検出される装置の周りの半径3mから10mをカバーする環境領域が提供されて良い。もし患者ネットワークが所定の最小時間周期で、この環境領域21で検出される場合、装置は自動的にこの患者ネットワーク13に統合される。最小時間周期は新しい装置が異なるネットワークに統合されること又は、輸送中に稼働を待つことを防ぐ。
【００４８】
統合は、存在する患者ネットワーク13又は医療装置3の”接続要求”が引き金となって起こって良い。もし複数の患者ネットワークが検出される場合、医療者には選択が与えられる。如何なるときにでも事前選択できる最も近い検出された患者ネットワークが提供されて良く、稼働可能な状態における稼働は別として、さらなる入力がない場合、新しい装置3は自動的にこの患者ネットワーク13に統合される。
【００４９】
新しい医療装置3の患者ネットワークへ13への統合が成功した後、レポートが情報センター29に送られる。問題になっている患者の管理リスト又はむしろ患者ネットワーク13の表現は適宜更新される。
【００５０】
病院の許可があれば、患者には小さな携帯可能なユニットを与えて良い。このユニットはすでに患者ネットワーク13,15を確立している。これらの装置は腕時計の形式であって良い。病院の許可が出次第、患者に関係する患者ネットワーク13,15を設置することで、最初から上述の方法を医療装置の自動配置に使用することが可能である。所在特定システムへの要求を介して、患者の所在は、患者に対応する患者ネットワークを検索することでいつでも特定可能になる。
【図面の簡単な説明】
【００５１】
【図１】患者モニタリングシステムの概略図である。
【図２】所在確認システムを有する患者モニタリングシステムの構造を図示している。
【図３】環境検出を有する患者モニタリングシステムの構造を図示している。
【図１】
2007527739.tif 000003
【図２】
2007527739.tif 000004
【図３】
2007527739.tif 000005
【国際調査報告】
2007527739.tif 000006
2007527739.tif 000007
2007527739.tif 000008
2007527739.tif 000009
2007527739.tif 000010